(57)【特許請求の範囲】
【請求項１】
空気調和装置の室内空気吸込口に設けられるグリルと、
前記グリルの内側に設けられ一対のフィルタ支持レールを有するフィルタ支持具と、
前記フィルタ支持レールに挿脱自在に取り付けられるフィルタと、
前記グリルに固定され前記フィルタ支持具に形成される支持孔に挿通されて前記フィルタ支持具を前記グリルから離間可能に支持する支持ピンと、
前記グリルに固定され前記フィルタ支持具に形成される係合孔に挿通されて前記フィルタ支持具を前記グリルから離間可能に支持する係合部材と、
前記係合部材に形成され前記フィルタ支持具の前記係合孔近傍に係脱自在に係合して前記フィルタが所定の使用位置になるように前記グリルと前記フィルタ支持具とを固定する係合部と、
前記係合部材に形成され前記フィルタ支持具の前記係合孔近傍に当接して前記グリルと前記フィルタ支持具との離間を規制するストッパ爪部と、を有し、
前記フィルタ支持具は、少なくとも前記フィルタの挿入口が前記グリルから離間することを特徴とする空気調和装置のフィルタ取り付け構造。
【請求項２】
空気調和装置の室内空気吸込口に設けられるグリルと、
前記グリルの内側に設けられ一対のフィルタ支持レールを有するフィルタ支持具と、
前記フィルタ支持レールに挿脱自在に取り付けられるフィルタと、
前記グリルに固定され前記フィルタ支持具に形成される支持孔に挿通されて前記フィルタ支持具を前記グリルから離間可能に支持する支持ピンと、
前記フィルタ支持具に取り付けられ前記グリルに固定される係合受部材に係脱自在に係合して前記フィルタが所定の使用位置になるように前記グリルと前記フィルタ支持具とを固定するラッチと、
前記支持ピンの頭部近傍に形成され前記フィルタ支持具の前記支持孔近傍に当接して前記グリルと前記フィルタ支持具との離間を規制するストッパ部と、を有し、
前記フィルタ支持具は、少なくとも前記フィルタの挿入口が前記グリルから離間することを特徴とする空気調和装置のフィルタ取り付け構造。
【発明の詳細な説明】
【技術分野】
【０００１】
本発明は、空気調和装置のフィルタ取り付け構造に関し、詳しくは、換気装置の室内空気吸込チャンバ、ダクト式空調システムの室内空気吸込チャンバ、冷媒配管式空調システムの室内機等に採用されるフィルタ取り付け構造に関する。
【背景技術】
【０００２】
一般に、室内の換気、冷房及び暖房等を行う空気調和装置において、室内の空気を吸い込む吸込口には、空気中のほこり等を取り除くためのフィルタが取り付けられる。この種のフィルタでは、その表面にほこり等が付着するので、その付着したほこり等を取り除くために、定期的な交換若しくは洗浄等が必要である。そのため、フィルタは、容易に取り外して洗浄等できるように、吸込口のグリル等に着脱自在に装着される。
【０００３】
例えば、特許文献１には、吸込グリルを有し、吸込グリルにフィルタが着脱自在な状態で固定される空気調和機が開示されている。吸込グリルの両側端には、ガイドが設けられ、このガイドにフィルタが着脱自在に係止される。具体的には、フィルタは、ガイドに沿ってスライドし、これにより、フィルタの取り付け及び取り外しが行われる。そして、取り外したフィルタが洗浄され若しくは新しいフィルタに交換されることにより、フィルタに付着したほこり等が取り除かれる。
【０００４】
また、空気調和装置のフィルタが取り付けられるグリル等としては、該グリルの一端部近傍が吸込チャンバ等に対して回動自在に軸支されて扉状に開閉する扉開閉式のグリル（例えば、特許文献１）や、吊紐等によって吸込チャンバ等に懸架されて開閉する昇降式のグリル（例えば、特許文献２）等が知られている。
【先行技術文献】
【特許文献】
【０００５】
【特許文献１】実開平５−４０７２６号公報（第４−６頁、第８図）
【特許文献２】特開２００２−３４９８９３号公報（第２−３頁、第１図）
【発明の概要】
【発明が解決しようとする課題】
【０００６】
しかしながら、上記した従来技術のように、フィルタをスライドさせてグリルから取り外す方法では、ほこり等の飛散を抑制しつつフィルタを容易に取り外せるようにするという観点において改善の余地があった。
【０００７】
具体的には、フィルタをスライドさせてグリルから取り外す際に、フィルタの挿入口近傍のグリルの縁部等にフィルタが接触して、フィルタの表面に付着しているほこり等が落ちてしまうという問題点があった。
【０００８】
また、空気調和装置は、例えば、室内の天井や壁等に取り付けられるため、フィルタの交換等の際に、作業者は、脚立の上等の不安定な場所で作業を行わなければならない。そのため、容易にフィルタの取り付け及び取り外しを行うことができるフィルタ取り付け構造が求められる。
【０００９】
本発明は、上記の事情に鑑みてなされたものであり、その目的とするところは、フィルタの取り外し時にフィルタに付着したほこり等の落下が少なく、且つフィルタの着脱を容易に行うことができる空気調和装置のフィルタ取り付け構造を提供することにある。
【課題を解決するための手段】
【００１０】
本発明の空気調和装置のフィルタ取り付け構造は、空気調和装置の室内空気吸込口に設けられるグリルと、前記グリルの内側に設けられ一対のフィルタ支持レールを有するフィルタ支持具と、前記フィルタ支持レールに挿脱自在に取り付けられるフィルタと、前記グリルに固定され前記フィルタ支持具に形成される支持孔に挿通されて前記フィルタ支持具を前記グリルから離間可能に支持する支持ピンと、前記グリルに固定され前記フィルタ支持具に形成される係合孔に挿通されて前記フィルタ支持具を前記グリルから離間可能に支持する係合部材と、前記係合部材に形成され前記フィルタ支持具の前記係合孔近傍に係脱自在に係合して前記フィルタが所定の使用位置になるように前記グリルと前記フィルタ支持具とを固定する係合部と、前記係合部材に形成され前記フィルタ支持具の前記係合孔近傍に当接して前記グリルと前記フィルタ支持具との離間を規制するストッパ爪部と、を有し、前記フィルタ支持具は、少なくとも前記フィルタの挿入口が前記グリルから離間することを特徴とする。
また、本発明の空気調和装置のフィルタ取り付け構造は、空気調和装置の室内空気吸込口に設けられるグリルと、前記グリルの内側に設けられ一対のフィルタ支持レールを有するフィルタ支持具と、前記フィルタ支持レールに挿脱自在に取り付けられるフィルタと、前記グリルに固定され前記フィルタ支持具に形成される支持孔に挿通されて前記フィルタ支持具を前記グリルから離間可能に支持する支持ピンと、前記フィルタ支持具に取り付けられ前記グリルに固定される係合受部材に係脱自在に係合して前記フィルタが所定の使用位置になるように前記グリルと前記フィルタ支持具とを固定するラッチと、前記支持ピンの頭部近傍に形成され前記フィルタ支持具の前記支持孔近傍に当接して前記グリルと前記フィルタ支持具との離間を規制するストッパ部と、を有し、前記フィルタ支持具は、少なくとも前記フィルタの挿入口が前記グリルから離間することを特徴とする。
【発明の効果】
【００１１】
本発明の空気調和装置のフィルタ取り付け構造によれば、空気調和装置の室内空気吸込口に設けられるグリルと、グリルの内側に設けられ一対のフィルタ支持レールを有するフィルタ支持具と、を有し、フィルタは、フィルタ支持レールに挿脱自在に取り付けられる。これにより、フィルタ清浄時等には、フィルタをフィルタ支持レールに沿ってスライドさせることによりフィルタの取り付け及び取り外しを容易に行うことができ、使用時には、フィルタ支持具によってフィルタを所定の位置に好適に支持することができる。
【００１２】
また、本発明のフィルタ取り付け構造は、フィルタ支持具をグリルから離間可能に支持する支持手段を有し、グリルの内側に設けられるフィルタ支持具は、少なくともフィルタの挿入口がグリルから離間する。これにより、グリルからフィルタを取り外す際に、フィルタ支持具をグリルから離間させ、フィルタとグリルとの接触を防止することができる。そのため、フィルタの表面に付着しているほこり等の落下を防ぐことができる。
【００１３】
また、本発明のフィルタ取り付け構造は、フィルタが所定の使用位置になるようにグリルとフィルタ支持具とを固定する係脱自在な係合手段を有しても良い。係合手段を係合させることによって、フィルタ支持具は、グリルに固定されてグリルからの離間が規制されると共に、フィルタ支持具に装着されたフィルタをグリルの所定の位置に固定することができる。これにより、例えば、天井等に設けられる扉開閉式のグリル等において、グリルを開いた際にフィルタの挿入口が下向きになった場合であっても、フィルタがフィルタ支持具から滑り落ちてしまうことを防止することができる。
【００１４】
また、本発明のフィルタ取り付け構造は、グリルとフィルタ支持具との間に設けられフィルタ支持具を離間方向に付勢する付勢手段を有しても良い。これにより、フィルタ支持具は、外部からの力を加えることなくグリルから離間する。そのため、フィルタの取り外し及び取り付けを容易に行うことができる。
【００１５】
また、本発明のフィルタ取り付け構造は、グリルとフィルタ支持具との離間を規制するストッパ手段を有しても良い。これにより、ストッパ手段は、グリルとフィルタ支持具とが過度に離間若しくは分離することを防ぎ、フィルタ支持具とグリルとの開きをフィルタ交換に必要な好適な範囲内に抑えることができる。そのため、フィルタ支持具の収納を容易にすることができる。
【図面の簡単な説明】
【００１６】
【図１】本発明の実施形態に係る空気調和装置の室内空気吸込装置の（Ａ）グリルアセンブリを閉じた状態、（Ｂ）グリルアセンブリを開いた状態の透視図である。
【図２】本発明の実施形態に係るグリルアセンブリの背面図である。
【図３】本発明の実施形態に係るグリルアセンブリの（Ａ）フィルタを使用位置にセットした状態、（Ｂ）フィルタ支持具をスライドさせた状態、（Ｃ）フィルタ支持具をポップアップさせた状態、（Ｄ）フィルタを取り出す状態、を示すＣ矢視図である。
【図４】本発明の実施形態に係るフィルタ支持具の（Ａ）フィルタ支持レールの横断面図、（Ｂ）Ａ部近傍の斜視図、（Ｃ）Ｂ部近傍の斜視図である。
【図５】本発明の実施形態に係る係合部材の斜視図である。
【図６】本発明の実施形態に係るグリルアセンブリのフィルタを使用位置にセットした状態を示す（Ａ）Ａ部詳細図、（Ｂ）Ｄ−Ｄ線断面図である。
【図７】本発明の実施形態に係るグリルアセンブリのフィルタ支持具をスライドさせた状態を示す（Ａ）Ａ部詳細図、（Ｂ）Ｅ−Ｅ線断面図である。
【図８】本発明の実施形態に係るグリルアセンブリのフィルタ支持具をポップアップさせた状態を示す（Ａ）Ａ部詳細図、（Ｂ）Ｆ−Ｆ線断面図である。
【図９】本発明の実施形態に係るグリルアセンブリのフィルタを使用位置にセットした状態を示す（Ａ）Ｂ部詳細図、（Ｂ）Ｇ−Ｇ線断面図である。
【図１０】本発明の実施形態に係るグリルアセンブリのフィルタ支持具を（Ａ）スライドさせた状態、（Ｂ）ポップアップさせた状態、を示すＧ−Ｇ線断面図である。
【図１１】本発明の他の実施形態に係る空気調和装置のグリルアセンブリの背面図である。
【図１２】本発明の他の実施形態に係るグリルアセンブリの（Ａ）フィルタ支持具を使用位置にセットした状態、（Ｂ）フィルタ支持具をポップアップさせた状態、を示すＨ部近傍のＩ−Ｉ線断面図である。
【発明を実施するための形態】
【００１７】
以下、本発明の実施形態に係る空気調和装置のフィルタ取り付け構造を図面に基づき詳細に説明する。
図１（Ａ）は、本発明の実施形態に係るフィルタ取り付け構造を採用する空気調和装置の室内空気吸込装置１をグリル１０側（室内側）から見た透視図であり、図１（Ｂ）は、室内空気吸込装置１のグリルアセンブリ４を開いた状態を示す透視図である。
【００１８】
本実施形態の空気調和装置は、室内の換気、暖房及び冷房等に用いられるダクト式空調システムであり、室内の空気を取り込むための室内空気吸込装置１や図示しない空気吹出装置、熱交換器、送風機、分岐チャンバ、ダンパ、及び各装置を繋ぎ空気を流すためのダクト等を有する。なお、本実施形態のフィルタ取り付け構造を用いる空気調和装置としては、換気のみを行う換気装置や冷媒配管式の空調装置等でも良い。
【００１９】
図１（Ａ）に示すように、室内空気吸込装置１は、略箱状で吸込口８（室内空気吸込口）が形成される吸込チャンバ５１を有し、略格子状等のグリル１０が吸込口８に設けられる。室内空気吸込装置１は、例えば、吸込口８が室内側に開口するように、室内の天井や壁等に配設される。
【００２０】
図１（Ｂ）に示すように、吸込チャンバ５１には、グリル１０とフィルタ支持具２０とを有するグリルアセンブリ４が開閉自在に取り付けられる。グリル１０は、例えば、合成樹脂の一体成形品でも良いし、アルミニウム等の押出材や鋼板等の板金加工材から構成されても良い。
【００２１】
グリル１０の１辺は、吸込チャンバ５１の内側、即ち、吸込口８の縁部近傍に回動自在に固定される。これにより、グリルアセンブリ４は、扉状に開閉し（扉開閉式）、室内空気吸込装置１の内部に取り付けられるフィルタ５の交換等を行うことができる。なお、グリル１０の開閉方法は、扉開閉式に限定されず、例えば、吊紐等によって吸込チャンバ５１等に懸架されて開閉する昇降式等でも良い。
【００２２】
フィルタ支持具２０は、グリル１０に取り付けられる。詳しくは、フィルタ支持具２０は、後述する係合部材４０（図６参照）及び支持ピン３５（図９参照）によってグリル１０から離間自在に支持される。そして、フィルタ支持具２０には、フィルタ５が挿脱自在に支持される。具体的には、フィルタ５をスライドさせてフィルタ支持具２０に挿入する。
【００２３】
フィルタ５は、例えば、鋼棒等から曲折形成される略矩形状の枠と、該枠の間に張設される合成繊維製の不織布と、を有するエアフィルタ等である。吸込口８にフィルタ５が取り付けられることにより、フィルタ５の表面にほこり等を付着させて、空気調和装置内にほこり等が吸入されることを防ぐことができる。
【００２４】
吸込チャンバ５１には、ダクト孔５３と固定具５２とが形成される。ダクト孔５３は、略円形の貫通孔とその周囲縁から連続する略円筒状の接続部を有し、該接続部には、例えば、図示しないダクト等が接続される。吸込チャンバ５１内に取り込まれる室内の空気は、該ダクトを介して図示しない他の装置に送られる。固定具５２は、グリル１０を閉じた際に、グリル１０に設けられる固定具１８（図２参照）と係合し、グリル１０を吸込チャンバ５１に係脱自在に固定する。
【００２５】
図２は、室内空気吸込装置１に設けられるグリルアセンブリ４の背面図である。図２に示すように、フィルタ支持具２０は、一対のフィルタ支持レール２６と、一対のフィルタ支持レール２６を繋ぐ一対のレール固定部材２２と、を有し、略矩形枠状に形成される。換言すれば、一対のフィルタ支持レール２６は、グリル１０の相対する辺部近傍、即ち図２における紙面上方及び下方、に略平行に配設される。なお、フィルタ支持レール２６及びレール固定部材２２は、例えば、アルミニウム材の押出成形や鋼板等のプレス成形等によって形成される。
【００２６】
一方のレール固定部材２２の両端部近傍は、フィルタ支持レール２６の挿入口３０近傍にリベット等の固定具２７によって固定される。また、他方のレール固定部材２２の両端部近傍は、フィルタ支持レール２６の吸込チャンバ５１（図１参照）側、即ち図２の紙面右側の端部近傍に、固定具２７によって固定される。
【００２７】
一対のレール固定部材２２でフィルタ支持レール２６を連結して固定することにより、フィルタ支持具２０をグリル１０から離間させる際に、一対のフィルタ支持レール２６を略平行に保ちつつ同時に離間させることができる。即ち、一対のフィルタ支持レール２６の間隔が変わらない。これにより、フィルタ５（図１（Ｂ）参照）を容易に挿入することができる。
【００２８】
また、フィルタ支持具２０の一方のレール固定部材２２の略中央には、フィルタ支持具２０を把持するためのハンドル５４が形成される。これにより、フィルタ５の取り外し等を行う際に、フィルタ支持具２０を手で支えることができ、後述するフィルタ支持具２０のスライドやポップアップの操作を容易に行うことができる。
【００２９】
一対のフィルタ支持レール２６の挿入口３０近傍には、後述する係合部材４０が挿通される係合孔２４が形成される。また、挿入口３０の反対側となるフィルタ支持レール２６の端部近傍には、後述する支持ピン３５が挿通される支持孔２５が形成される。
【００３０】
図３（Ａ）ないし（Ｄ）は、グリルアセンブリ４の図２に示すＣ矢視図であり、図３（Ａ）は、使用状態を示し、図３（Ｂ）は、フィルタ支持具２０をスライドさせた状態を示し、図３（Ｃ）は、フィルタ支持具２０をポップアップさせた状態を示し、図３（Ｄ）は、フィルタ５を取り出す状態を示している。
【００３１】
図３（Ａ）に示すように、フィルタ支持具２０は、グリル１０に設けられる支持手段を構成する後述する係合部材４０及び支持ピン３５によって、グリル１０から離間自在に、グリル１０に支持される。そして、使用状態においては、フィルタ支持具２０は、係脱自在な係合手段を構成する係合部材４０によって所定の使用位置に固定される。
【００３２】
図３（Ｂ）に示すように、フィルタ支持具２０は、フィルタ５取り外し方向に向かってスライド可能である。このスライドにより、前述の係合部材４０による係合が解かれる。そして、フィルタ支持具２０をスライドさせて係合手段による係合を解除することにより、図３（Ｃ）に示すように、フィルタ支持具２０をグリル１０から離間する方向（背面側）にポップアップさせることができる。
【００３３】
即ち、フィルタ支持具２０は、支持ピン３５近傍を支点として回動し、フィルタ支持具２０の挿入口３０側がグリル１０の主面に対して略垂直な方向、即ちグリル１０の背面方向に離間する。ここで、フィルタ支持具２０は、弾性体３１によって、グリル１０から離間する方向に付勢されている。これにより、外部からの力を加えることなくフィルタ支持具２０を容易にポップアップさせることができる。
【００３４】
図３（Ｄ）に示すように、フィルタ支持具２０をポップアップさせた状態で、挿入口３０からフィルタ５を挿脱することができる。これにより、グリル１０とフィルタ５とが接触することを防ぎ、フィルタ５からほこり等が落下することを防ぐことができる。
【００３５】
図４（Ａ）は、フィルタ支持具２０のフィルタ支持レール２６の横断面図であり、図４（Ｂ）は、フィルタ支持具２０の図２に示すＡ部近傍の斜視図であり、図４（Ｃ）は、フィルタ支持具２０の図２に示すＢ部近傍の斜視図である。
【００３６】
図４（Ａ）に示すように、フィルタ支持レール２６には、フィルタ５（図１（Ｂ）参照）を支持するためのレール部２１が形成される。レール部２１は、横断面が略コ字状に形成され、フィルタ５の縁部を前面側及び背面側から挟持する。
【００３７】
図４（Ａ）ないし（Ｃ）に示すように、フィルタ支持レール２６には、レール部２１から連続してレール部２１に沿って延在するフランジ部２３ａ、フランジ部２３ｂ及びフランジ部２３ｃが曲折形成される。フランジ部２３ａ及びフランジ部２３ｂが形成されることにより、フィルタ支持レール２６をグリル１０（図２参照）に支持するための係合孔２４及び支持孔２５をグリル１０に略平行なフランジ部２３ｂに形成することができる。これにより、フィルタ支持レール２６をグリル１０に支持することができる。
【００３８】
また、図４（Ｂ）に示すように、フランジ部２３ｂに、弾性体３１（図６（Ｂ）参照）を固定するための固定具２８を設けることができる。フィルタ５を支持するレール部２１から離れた位置に形成されるフランジ部２３ｂに固定具２８が設けられることにより、固定具２８とフィルタ５との干渉を避けることができる。なお、固定具２８は、フィルタ支持レール２６の挿入口３０近傍に設けられる。
【００３９】
フィルタ支持レール２６の挿入口３０近傍のフランジ部２３ｂには、グリル１０に設けられる後述する係合部材４０（図５参照）を挿入するための係合孔２４が形成される。係合孔２４は、略矩形状で、係合部材４０の挿脱が容易な大きさに形成される。これにより、係合部材４０を係合孔２４に容易に挿入することができる。
【００４０】
図４（Ｃ）に示すように、挿入口３０の反対側となるフランジ部２３ｂの端部近傍には、支持孔２５が形成される。支持孔２５は、レール部２１の延在方向、即ちフィルタ５取り外し方向と略平行な方向に長い略楕円状若しくは略矩形状に形成される。これにより、フィルタ支持具２０のスライドが可能になる。
【００４１】
図５は、係合部材４０の斜視図である。係合部材４０は、グリル１０（図２参照）の内側に取り付けられて、フィルタ支持具２０（図２参照）の係合孔２４（図４（Ｂ）参照）に挿通される部材である。係合部材４０は、例えば、合成樹脂や鋼板等から形成される。
【００４２】
図５に示すように、係合部材４０は、係合部材４０をグリル１０に固定するための固定孔４３が形成される係合部４４と、係合部４４の端部から連続してグリル１０の背面側に略垂直に立ち上げられる支持部４２と、支持部４２の端部から連続して略垂直に曲折されて係合部４４の反対側に延びるストッパ爪部４１と、を有する。また、係合部材４０は、支持部４２の反対側となる係合部４４の端部から連続してグリル１０の前面側に向かって略垂直に形成されるフランジ部４５を有する。
【００４３】
図６（Ａ）は、グリルアセンブリ４の図２に示すＡ部の詳細図であり、フィルタ５を使用位置にセットした状態を示す。図６（Ｂ）は、グリルアセンブリ４の図６（Ａ）に示すＤ−Ｄ線断面図である。
【００４４】
図６（Ｂ）に示すように、グリル１０の内側には、係合部材４０を固定するための取付部３４ａが形成される。係合部材４０は、係合部材４０の固定孔４３（図５参照）にねじ等の固定具４９が挿通されることにより取付部３４ａの端部に締結固定される。この時、係合部材４０は、ストッパ爪部４１がグリル１０の背面側、フランジ部４５がグリル１０の前面側になるように固定される。
【００４５】
図６（Ａ）に示すように、係合部材４０は、フィルタ支持具２０に形成される係合孔２４に挿通される。これにより、係合部材４０は、フィルタ支持具２０をグリル１０から離間可能に支持することができる。即ち、係合部材４０及び係合孔２４は、フィルタ支持具２０をグリル１０から離間可能に支持する支持手段である。
【００４６】
図６（Ａ）及び（Ｂ）に示すように、係合孔２４の縁部近傍となるフィルタ支持レール２６の背面側の面は、係合部４４の前面側の面と当接して係合する。即ち、係合孔２４及び係合部４４は、係合手段としての機能を有する。係合孔２４及び係合部４４が係合することによって、フィルタ支持具２０は、グリル１０に固定され、グリル１０からの離間が規制される。
【００４７】
なお、上記の係合部４４及び係合孔２４とは異なる形状の係合手段を採用しても良い。例えば、グリル１０に係合孔を形成し、フィルタ支持具２０に該係合孔と係合する係合部を設けても良い。また、グリル１０及びフィルタ支持具２０の少なくとも一方に略鉤状等の係脱自在な係合手段を形成しても良い。
【００４８】
図６（Ｂ）に示すように、挿入口３０側のグリル１０の縁部１５近傍には、背面側に突出する突起部１４が形成される。フィルタ５を使用位置にセットした状態では、フィルタ５の端部がグリル１０の突起部１４に接触するため、フィルタ５は、所定の位置に支持されてフィルタ支持具２０から飛び出さない。
【００４９】
これにより、例えば、天井等に設けられる扉開閉式のグリル１０等において、グリル１０を開いた際にフィルタ５の挿入口３０が下向きになった場合であっても、フィルタ５がフィルタ支持具２０から滑り落ちてしまうことを防止できる。
【００５０】
また、係合部材４０の背面側のストッパ爪部４１は、フィルタ５と当接する。即ち、係合部材４０は、フィルタ５をグリル１０の背面方向に押している。これにより、フィルタ５の動きが抑えられ、フィルタ５の飛び出しを防止することができる。なお、係合部材４０は、フィルタ５と干渉しない位置に設けられても良い。
【００５１】
グリルアセンブリ４は、グリル１０とフィルタ支持具２０との間に付勢手段となる弾性体３１を有する。弾性体３１は、例えば、鋼線等により形成される圧縮コイルばね等であり、フィルタ支持具２０に設けられる固定具２８（例えば、リベット等）及びグリル１０に設けられる弾性体支持具３３（例えば、突起等）により、両端部が夫々フィルタ支持具２０とグリル１０とに支持される。付勢手段となる弾性体３１が設けられることにより、フィルタ支持具２０は、グリル１０から離間する方向に付勢される。
【００５２】
また、図６（Ａ）及び（Ｂ）に示すように、フィルタ支持具２０が弾性体３１によって離間する方向に付勢されることにより、係合孔２４の縁部近傍は、係合部４４に押圧される。これにより、係合孔２４と係合部４４との係合を強めることができる。なお、付勢手段は、弾性体３１のような圧縮ばねに限定されず、例えば、板ばね等であっても良い。
【００５３】
なお、グリル１０の縁部１５は、グリル１０の周囲を取り囲むように背面側に延設されている。縁部１５の内面１５ａとフィルタ支持具２０との間には、隙間が形成されているが、例えば、縁部１５の内面１５ａと、フィルタ支持具２０（例えば、フィルタ支持レール２６の側面２６ａ）との間に、合成樹脂等からなる摺動材を設けても良い。これにより、グリル１０とフィルタ支持具２０との直接的な接触を防止し、摩擦や摩耗を抑制することができる。
【００５４】
また、摺動材を設ける場合において、グリル１０の縁部１５の内面１５ａとフィルタ支持レール２６の側面２６ａとを当接させて、当該当接面を摺動自在な案内面として積極的に利用しても良い。これにより、前記摺動材が設けられた当接面を、フィルタ支持具２０をグリル１０から離間可能に支持する支持手段とすることも可能である。
【００５５】
図７（Ａ）は、グリルアセンブリ４の図２に示すＡ部の詳細図であり、フィルタ支持具２０をスライドさせた状態を示しており、図７（Ｂ）は、グリルアセンブリ４の図７（Ａ）に示すＥ−Ｅ線断面図である。
【００５６】
図７（Ａ）及び（Ｂ）に示すように、フィルタ支持具２０を、フィルタ５取り外し方向にスライドさせることにより、フィルタ支持レール２６の係合孔２４の縁部近傍と、係合部材４０の係合部４４とが当接しなくなる。即ち、係合孔２４の縁部近傍と係合部４４との係合を外すことができる。
【００５７】
係合孔２４は、前述のように、係合部４４よりも大きく形成されている。これにより、係合部４４は、係合孔２４を通過することができる。そのため、係合孔２４と係合部４４との係合が外れることにより、フィルタ支持具２０をグリル１０から離間する方向（背面方向）に移動させることができる。
【００５８】
また、フィルタ支持具２０をスライドさせた際に、挿入口３０の反対側となる係合孔２４の縁部は、係合部材４０のフランジ部４５に当接する。これにより、フランジ部４５が形成されていない場合と比べて、係合部４４と係合孔２４との係合を容易に外すことができる。即ち、挿入口３０の反対側となる係合孔２４の縁部近傍が係合部４４の前面側に入り込むことを防止でき、係合孔２４と係合部４４との引っ掛かりによってフィルタ支持具２０のポップアップが阻害されることを抑制できる。
【００５９】
なお、フィルタ支持具２０をスライドさせることにより、図６に示す使用状態のグリルアセンブリ４と比べて、固定具２８及び弾性体支持具３３の相対位置が変わるため、弾性体３１は、歪んでしまう。これに対応するために、例えば、弾性体３１の一方の端部のみを固定する構成を採用しても良い。
【００６０】
図８（Ａ）は、グリルアセンブリ４の図２に示すＡ部の詳細図であり、フィルタ支持具２０をグリル１０からポップアップさせた状態を示しており、図８（Ｂ）は、グリルアセンブリ４の図８（Ａ）に示すＦ−Ｆ線断面図である。即ち、図８（Ａ）及び（Ｂ）は、フィルタ５の挿脱を行う際のグリルアセンブリ４の状態を示している。
【００６１】
図８（Ａ）及び（Ｂ）に示すように、係合孔２４及び係合部４４からなる係合手段の係合が外れ、且つ弾性体３１からなる付勢手段によって離間方向に付勢されているので、フィルタ支持具２０は、ポップアップし、フィルタ５の挿入口３０は、グリル１０から離間する。これにより、フィルタ５をスライドさせてフィルタ支持具２０から取り外すことができる。
【００６２】
また、グリル１０と挿入口３０とが離れるため、フィルタ５とグリル１０との接触を防止することができる。そのため、フィルタ５に捕捉されその表面に付着しているほこり等の落下を防ぐことができる。
【００６３】
フィルタ支持具２０をポップアップした状態において、フィルタ支持レール２６の係合孔２４の縁部近傍の背面側の面は、係合部材４０のストッパ爪部４１の前面側の面に当接する。即ち、係合孔２４及びストッパ爪部４１は、ストッパ手段としての機能を有する。
【００６４】
ストッパ爪部４１及び係合孔２４からなるストッパ手段によって、グリル１０とフィルタ支持具２０とが過度に離間若しくは分離することを防ぎ、フィルタ支持具２０とグリル１０との開きをフィルタ交換に必要な好適な範囲内に抑えることができる。これによって、フィルタ支持具２０をグリル１０に容易に収納することができる。
【００６５】
また、フィルタ支持具２０は、係合孔２４の縁部近傍の背面側の面がストッパ爪部４１の前面側の面に当接し、弾性体３１よって背面方向に付勢されているので、グリル１０から離間した状態で保持される。そのため、フィルタ支持具２０を支えることなくポップアップした状態を維持できるので、フィルタ５の取り外し及び取り付けを容易に行うことができる。
【００６６】
なお、上記の係合孔２４及びストッパ爪部４１と異なる形状のストッパ手段を採用しても良い。例えば、グリル１０の縁部１５等に、フィルタ支持具２０と当接することによりストッパ手段として機能する爪部等を形成しても良い。
【００６７】
以上説明の如く、係合部材４０は、支持手段、係合手段及びストッパ手段としての機能を有する。このように、支持手段、係合手段及びストッパ手段を１つの部材によって形成することにより、グリルアセンブリ４の部品数を減らすことができ、グリルアセンブリ４の生産性を高めることができる。
【００６８】
次に、図６ないし図８を参照して、フィルタ支持具２０をグリル１０に固定して使用状態にする方法について説明する。フィルタ支持具２０は、前述のポップアップさせる方法と逆の手順により、グリル１０に固定される。
【００６９】
具体的には、ポップアップされた状態、即ち図８（Ａ）及び（Ｂ）に示す状態のフィルタ支持具２０を、グリル１０に向かって押し込むことにより、フィルタ支持具２０は、スライド可能な状態、即ち図７（Ａ）及び（Ｂ）に示す状態になる。
【００７０】
次に、スライド可能な状態のフィルタ支持具２０を、フィルタ取り出し方向と反対の方向にスライドさせることにより、グリルアセンブリ４は、使用状態、即ち図６（Ａ）及び（Ｂ）に示す状態になり、係合手段である係合孔２４と係合部４４とが係合する。これにより、フィルタ支持具２０及びそこに挿入されるフィルタ５をグリル１０に固定することができる。このように、フィルタ５を容易に取り付けることができる。
【００７１】
図９（Ａ）は、グリルアセンブリ４の図２に示すＢ部の詳細図であり、フィルタ５を使用位置にセットした状態を示している。図９（Ｂ）は、グリルアセンブリ４の図９（Ａ）に示すＧ−Ｇ線断面図である。即ち、図９（Ａ）及び（Ｂ）は、図６（Ａ）及び（Ｂ）と同じ状態のグリルアセンブリ４のＢ部近傍を示している。
【００７２】
図９（Ｂ）に示すように、グリル１０の内側には、背面側に突出する取付部３４ｂが設けられる。取付部３４ｂの端部には、略円筒状のスペーサ等にねじ等を挿通してなる支持ピン３５が固定される。
【００７３】
図９（Ａ）及び（Ｂ）に示すように、支持ピン３５は、フィルタ支持レール２６に形成される支持孔２５に挿通される。これにより、支持ピン３５及び支持孔２５は、支持手段としての機能を発揮する。即ち、フィルタ支持具２０は、グリル１０に離間可能（傾斜可能）に支持される。
【００７４】
なお、支持手段として、上記の支持ピン３５及び支持孔２５とは異なる形状の部材からなる構成を採用しても良い。例えば、グリル１０に支持孔等を設け、フィルタ支持具２０に支持ピン等を設けても良い。
【００７５】
また、支持ピン３５の背面側の端部には、ねじ頭等によるストッパ部３２が形成される。これにより、支持孔２５の縁部近傍の背面側の面がストッパ部３２の前面側に当接し、フィルタ支持具２０とグリル１０とが過度に離間若しくは分離することを防ぐことができる。
【００７６】
また、支持ピン３５のストッパ部３２とフィルタ支持具２０との間には、弾性体３６（例えば、圧縮コイルばね等）が設けられる。これにより、フィルタ支持具２０の支持孔２５の縁部近傍は、グリル１０側、即ち図９（Ｂ）において紙面下向きに付勢される。これにより、フィルタ支持具２０をグリル１０から離間可能（傾斜可能）に支持する構成において、フィルタ支持具２０をグリル１０に押し当てて、使用状態におけるフィルタ支持具２０の動きを規制して、がたつきを抑制することができる。
【００７７】
支持孔２５は、前述のように、スライド方向に長い略楕円状若しくは略矩形状に形成される。これにより、支持孔２５及び支持ピン３５は、フィルタ支持具２０をフィルタ５取り外し方向にスライド可能に支持することができる。これにより、前述の係合部４４（図６（Ａ）参照）と係合孔２４（図６（Ａ）参照）とを係脱させることができる。
【００７８】
図１０（Ａ）は、グリルアセンブリ４の図９（Ａ）に示すＧ−Ｇ線断面に相当する断面図であり、フィルタ支持具２０をスライドさせた状態を示している。図１０（Ｂ）は、同じくグリルアセンブリ４の図９（Ａ）に示すＧ−Ｇ線断面に相当する断面図であり、フィルタ支持具２０をポップアップさせた状態を示している。
【００７９】
即ち、図１０（Ａ）は、図７（Ａ）及び（Ｂ）と同じ状態のグリルアセンブリ４の図２に示すＢ部近傍の断面を示しており、図１０（Ｂ）は、図８（Ａ）及び（Ｂ）と同じ状態のグリルアセンブリ４の図２に示すＢ部近傍の断面を示している。
【００８０】
図１０（Ａ）に示すように、図９（Ｂ）に示す状態のフィルタ支持具２０をフィルタ５取り外し方向にスライドさせる。次に、図１０（Ｂ）に示すように、フィルタ支持具２０をポップアップさせる。これにより、フィルタ５の取り外しが可能となる。なお、フィルタ支持具２０の支持孔２５（図９（Ａ）参照）近傍は、弾性体３６によってグリル１０方向に付勢されているため、グリル１０に当接した状態が維持される。
【００８１】
このように、フィルタ支持具２０は、支持孔２５近傍がグリル１０の取付部３４ｂに押し付けられた状態で傾斜が許容される。そのため、ヒンジ等の部品を用いることなく、支持ピン３５近傍を支点としてフィルタ支持具２０を回動させ、フィルタ支持具２０を扉状にポップアップさせることができる。
【００８２】
ここで、フィルタ支持レール２６から前面側に向かって延設されるフランジ部２３ｃは、フィルタ支持レール２６の端部近傍において、延設長さが短く形成されても良い。これにより、フィルタ支持具２０をポップアップさせた際に、フランジ部２３ｃとグリル１０とが接触することを防ぐことができる。
【００８３】
図１１は、本発明の他の実施形態に係る空気調和装置のグリルアセンブリ１０４の背面図である。なお、グリルアセンブリ１０４は、グリルアセンブリ４（図２参照）の変形例であり、グリル１１０は、室内空気吸込装置１（図１参照）の吸込口８（図１参照）に、例えば、扉開閉式、昇降式等のように取り付けられる。また、既に説明した実施形態と同一若しくは同様の作用、効果を奏する構成要素については、同一の符号を付し、その説明を省略する。
【００８４】
図１１に示すように、グリルアセンブリ１０４は、グリル１１０と、フィルタ支持具１２０を有する。フィルタ支持具１２０の一対のフィルタ支持レール１２６の両端部には、挿入口１３０が夫々形成され、挿入口１３０から、フィルタ５（図１（Ｂ）参照）を挿入することができる。
【００８５】
これにより、図１１の紙面上下方向となる２つ方向からフィルタ５の挿脱を行うことができるので、フィルタ５の取り外しが容易なる。なお、例えば、一方の挿入口１３０近傍にフィルタ５の通過を防止するストッパ等を設け、片側からフィルタ５の挿脱を行う構成にしても良い。
【００８６】
フィルタ支持レール１２６の両端部近傍には、支持孔１２５（支持手段）が夫々形成される。支持孔１２５には、グリル１１０に設けられる後述の支持ピン１３５（支持手段）が挿通される。
【００８７】
一対のフィルタ支持レール１２６の夫々略中央には、フィルタ５が所定の使用位置になるようにグリル１１０とフィルタ支持具１２０とを固定する係脱自在な係合手段としてのラッチ１３７が設けられる。また、グリル１１０には、ラッチ１３７の位置に対応して、ラッチ１３７と係合する係合受部１３８が取り付けられる。夫々のフィルタ支持レール１２６について、略中央の１箇所に係合手段を設けることにより、部品数を少なくすることができると共に、係脱の作業を容易に行うことができる。
【００８８】
一対のフィルタ支持レール１２６の夫々略中央には、係合手段であるラッチ１３７の位置に対応して、フィルタ支持レール１２６とグリル１１０との間にフィルタ支持具１２０を離間方向に付勢する弾性体１３１（付勢手段）が設けられる。係合手段の位置に対応して付勢手段が設けられることにより、フィルタ支持具１２０を使用位置にセットした状態におけるフィルタ支持レール１２６のたわみを抑制することができる。
【００８９】
一対のフィルタ支持レール１２６の略中央には、フィルタ支持レール１２６を繋ぐレール固定部材１２２が設けられる。これにより、レール固定部材１２２は、一対のフィルタ支持レール１２６を略平行に固定する。
【００９０】
図１２（Ａ）及び（Ｂ）は、グリルアセンブリ１０４の図１１に示すＨ部近傍のＩ−Ｉ線断面図であり、図１２（Ａ）は、フィルタ支持具１２０を使用位置にセットした状態を示し、図１２（Ｂ）は、フィルタ支持具１２０をポップアップさせた状態を示す。
【００９１】
図１２（Ａ）に示すように、グリル１１０の内側には、背面側に突設される取付部１３４が形成される。取付部１３４の端部には、略円筒状のスリーブ等にねじ等を挿通してなる支持ピン１３５が固定され、支持ピン１３５のグリル１１０に対して反対側の端部には、ストッパ部１３２が形成される。
【００９２】
支持ピン１３５は、フィルタ支持レール１２６のフランジ部１２３に形成される支持孔１２５に挿通される。これにより、フィルタ支持具１２０は、グリル１１０から略垂直方向に離間することができる。
【００９３】
レール固定部材１２２の背面側には、ラッチ１３７が設けられる。ラッチ１３７は、係合受部１３８側（図１２（Ａ）の紙面右側）の側面から突出する爪部１３９と、ラッチ１３７の背面側から突出する凸部１５５と、を有する。
【００９４】
ラッチ１３７の爪部１３９は、ラッチ１３７の本体内に設けられる図示しない弾性体等によって突出方向、（図１２（Ａ）の紙面右方向）に付勢される。これにより、爪部１３９は、通常状態においてラッチ１３７の本体より突出しており、ラッチ１３７の本体内へ押し込む外力が作用すると、ラッチ１３７の本体内に収納される。
【００９５】
使用状態において、爪部１３９の背面側の面は、グリル１１０に設けられる係合受部１３８のグリル１１０側（正面側）の面と当接し係合する。これにより、爪部１３９及び係合受部１３８は係合手段として機能し、フィルタ支持具１２０をグリル１１０に固定することができる。
【００９６】
ラッチ１３７の凸部１５５は、爪部１３９と連動する。即ち、凸部１５５をスライドさせることにより、爪部１３９に収納方向若しくは突出方向の力を加えることができる。凸部１５５をスライドさせることにより、爪部１３９を、ラッチ１３７の本体内に収納することができ、これにより、爪部１３９及び係合受部１３８の係合を解除することができる。
【００９７】
フィルタ支持具１２０は、弾性体１３１によってグリル１１０から離間する方向に付勢されている。即ち、ラッチ１３７の爪部１３９は、係合受部１３８に向かって付勢されている。これにより、爪部１３９と係合受部１３８との係合を強め、フィルタ支持具１２０のがたつきを抑えることができる。
【００９８】
図１２（Ｂ）に示すように、ラッチ１３７の凸部１５５を爪部１３９の反対側に向かってスライドさせることにより、爪部１３９は、ラッチ１３７の本体内に収納される。これにより、爪部１３９と係合受部１３８との係合を外すことができる。
【００９９】
また、フィルタ支持具１２０は、弾性体１３１によって離間方向に付勢されているため、グリル１１０からポップアップする。これにより、フィルタ５の挿脱を容易に行うことができる。
【０１００】
フィルタ支持レール１２６の支持孔１２５の縁部近傍の背面側の面は、支持ピン１３５のストッパ部１３２の前面側に当接する。これにより、フィルタ支持具１２０のグリル１１０からの離間が制限される。即ち、支持孔１２５及びストッパ部１３２は、ストッパ手段として機能する。
【０１０１】
また、係合受部１３８の内側の面は、フィルタ支持具１２０の背面側の面と当接する。これにより、フィルタ支持具１２０は、グリル１１０からの離間が制限される。即ち、係合受部１３８は、ストッパ手段として機能する。
【０１０２】
フィルタ５を装着してフィルタ支持具１２０を使用位置にセットする際には、フィルタ支持具１２０をグリル１１０方向に押す。これにより、フィルタ支持具１２０をグリル１１０に容易に固定することができる。
【０１０３】
具体的には、離間状態、即ち図１２（Ｂ）に示す状態のフィルタ支持具１２０をグリル１１０方向に押し込むことにより、爪部１３９の前面側と係合受部１３８の背面側とが当接する。ここで、爪部１３９の正面側は、斜めに形成されるため、爪部１３９には収納方向の力が作用し、ラッチ１３７の本体に爪部１３９が収納される。
【０１０４】
そして、フィルタ支持具１２０が所定の使用位置まで押し込まれると、爪部１３９は、ラッチ１３７本体内の図示しない弾性体等によって突出方向に付勢されているため、ラッチ１３７の本体から突出し、係合受部１３８と係合する。即ち、図１２（Ａ）に示す使用状態になる。このように、フィルタ支持具１２０をグリル１１０に容易に固定することができる。
【０１０５】
また、フィルタ支持具１２０がグリル１１０方向に押されると、フィルタ支持レール１２６のフランジ部１２３は、取付部１３４の端部に当接する。これにより、フィルタ支持具１２０が過度に押し込まれることを防止できる。
【０１０６】
以上説明の実施形態では、フィルタ支持具２０、１２０は、離間可能な支持手段によってグリル１０、１１０に支持されるとしたが、本発明のフィルタ取り付け構造は、これに限定されるものではない。
【０１０７】
例えば、フィルタ支持具２０等を、離間可能な支持手段によって、グリル１０等ではなく、別途設けられる支持枠等に取り付けても良い。即ち、フィルタ支持具２０等と、そのフィルタ支持具２０等を離間可能に支持する支持枠等と、によって、ポップアップが可能なフィルタ支持具２０等のアセンブリを構成しても良い。そして、そのポップアップ機能を有するアセンブリの支持枠等をグリル１０等の内側に取り付けても良い。これによってもフィルタ支持具２０等をグリル１０等からポップアップさせることができる。
その他、本発明の要旨を逸脱しない範囲で、種々の変更実施が可能である。
【符号の説明】
【０１０８】
１      室内空気吸込装置
４、１０４      グリルアセンブリ
５      フィルタ
８      吸込口
１０、１１０    グリル
２０、１２０    フィルタ支持具
２１、    レール部
２２、１２２    レール固定部材
２４    係合孔
２５    支持孔
２６、１２６    フィルタ支持レール
３０、１３０    挿入口
３１、１３１    弾性体
３２、１３２    ストッパ部
３５    支持ピン
３６    弾性体
４０    係合部材
４１    ストッパ爪部
４２    支持部
４４    係合部
１２５  支持孔
１３５  支持ピン
１３７  ラッチ
１３８  係合受部
１３９  爪部
【図１】
0006639142.tif 000002
【図２】
0006639142.tif 000003
【図３】
0006639142.tif 000004
【図４】
0006639142.tif 000005
【図５】
0006639142.tif 000006
【図６】
0006639142.tif 000007
【図７】
0006639142.tif 000008
【図８】
0006639142.tif 000009
【図９】
0006639142.tif 000010
【図１０】
0006639142.tif 000011
【図１１】
0006639142.tif 000012
【図１２】
0006639142.tif 000013